(57)【特許請求の範囲】
【請求項１】
通信ネットワークにおいて免許制共用アクセス（ＬＳＡ）帯域割当てを解放する進化型ノードＢ（ｅＮｏｄｅ  Ｂ）用の回路であって、
前記通信ネットワークの進化型パケットコア（ＥＰＣ）に位置する帯域解放モジュールから、ＬＳＡ帯域の１つまたは複数の選択されたセグメントを解放するよう前記ｅＮｏｄｅ  Ｂに要求する帯域解放メッセージを受け取り、
前記ＬＳＡ帯域の前記１つまたは複数の選択されたセグメントを解放するための複数のＬＳＡ帯域解放パラメータを評価し、
前記複数のＬＳＡ帯域解放パラメータに基づいてＬＳＡ帯域解放スケジュールを決定し、
前記ＬＳＡ帯域の前記１つまたは複数の選択されたセグメントを解放するために前記ＬＳＡ帯域解放スケジュールに基づいて前記通信ネットワーク内の選択された複数のセカンダリセル（ＳＣｅｌｌ）を非アクティブ化し、
１つまたは複数のＳＣｅｌｌを非アクティブ化するスケジュールを示す、前記ｅＮｏｄｅ  Ｂのセル内の選択された複数のユーザ機器（ＵＥ）への拡張ブロードキャストメッセージを送る、回路。
【請求項２】
通信ネットワークにおいて免許制共用アクセス（ＬＳＡ）帯域割当てを解放する進化型ノードＢ（ｅＮｏｄｅ  Ｂ）用の回路であって、
前記通信ネットワークの進化型パケットコア（ＥＰＣ）に位置する帯域解放モジュールから、ＬＳＡ帯域の１つまたは複数の選択されたセグメントを解放するよう前記ｅＮｏｄｅ  Ｂに要求する帯域解放メッセージを受け取り、
前記ＬＳＡ帯域の前記１つまたは複数の選択されたセグメントを解放するための複数のＬＳＡ帯域解放パラメータを評価し、
前記複数のＬＳＡ帯域解放パラメータに基づいてＬＳＡ帯域解放スケジュールを決定し、
前記ＬＳＡ帯域の前記１つまたは複数の選択されたセグメントを解放するために前記ＬＳＡ帯域解放スケジュールに基づいて前記通信ネットワーク内の選択された複数のセカンダリセル（ＳＣｅｌｌ）を非アクティブ化し、
前記帯域解放メッセージは、前記ＬＳＡ帯域解放スケジュールがいつ始まるかを示す時刻（ＴＳ）を示す、回路。
【請求項３】
前記複数のＬＳＡ帯域解放パラメータは、前記ｅＮｏｄｅ  Ｂが前記ＬＳＡ帯域の前記選択された複数のセグメントを全面的に解放するための期間である、ＴＲと、前記ＬＳＡ帯域解放スケジュールの開始時刻である、ＴＳ、ＴＳから開始してＴＲに至るまでの、ＬＴＥネットワークと既存のネットワークとの間の分配率が更新される周期的な時間間隔である、ＴＣと、ＴＣ時間間隔ごとに前記ｅＮｏｄｅ  Ｂが前記既存のネットワークとの時間共用を減らす時間量である、Ｔｉとを含む、請求項１または２に記載の回路。
【請求項４】
通信ネットワークにおいて免許制共用アクセス（ＬＳＡ）帯域割当てを解放する進化型ノードＢ（ｅＮｏｄｅ  Ｂ）用の回路であって、
前記通信ネットワークの進化型パケットコア（ＥＰＣ）に位置する帯域解放モジュールから、ＬＳＡ帯域の１つまたは複数の選択されたセグメントを解放するよう前記ｅＮｏｄｅ  Ｂに要求する帯域解放メッセージを受け取り、
前記ＬＳＡ帯域の前記１つまたは複数の選択されたセグメントを解放するための複数のＬＳＡ帯域解放パラメータを評価し、
前記複数のＬＳＡ帯域解放パラメータに基づいてＬＳＡ帯域解放スケジュールを決定し、
前記ＬＳＡ帯域の前記１つまたは複数の選択されたセグメントを解放するために前記ＬＳＡ帯域解放スケジュールに基づいて前記通信ネットワーク内の選択された複数のセカンダリセル（ＳＣｅｌｌ）を非アクティブ化し、
前記複数のＬＳＡ帯域解放パラメータは、前記ｅＮｏｄｅ  Ｂが前記ＬＳＡ帯域の前記選択された複数のセグメントを全面的に解放するための期間である、ＴＲと、前記ＬＳＡ帯域解放スケジュールの開始時刻である、ＴＳ、ＴＳから開始してＴＲに至るまでの、ＬＴＥネットワークと既存のネットワークとの間の分配率が更新される周期的な時間間隔である、ＴＣと、ＴＣ時間間隔ごとに前記ｅＮｏｄｅ  Ｂが前記既存のネットワークとの時間共用を減らす時間量である、Ｔｉとを含む、回路。
【請求項５】
１つまたは複数のＳＣｅｌｌを非アクティブ化するスケジュールを示す、前記ｅＮｏｄｅ  Ｂのセル内の選択された複数のユーザ機器（ＵＥ）への拡張ブロードキャストメッセージを送る、請求項２または４に記載の回路。
【請求項６】
前記ｅＮｏｄｅ  Ｂのセル内の各ＵＥへ、前記ＬＳＡ帯域割当てを全面的に解放するために選択された１つまたは複数のＳＣｅｌｌを解放する無線リソース制御（ＲＲＣ）コマンドを送る、請求項１から５のいずれか一項に記載の回路。
【請求項７】
前記複数のＬＳＡ帯域解放パラメータは、既存の通信ネットワークとリアルタイムで、またはほぼリアルタイムで折衝される、請求項３または４に記載の回路。
【請求項８】
時刻ＴＲまでＴＣ時間間隔ごとに期間ＴＣ−Ｔｉにわたって、前記複数の選択されたセカンダリセル（ＳＣｅｌｌ）のうちの１つまたは複数を用いる、請求項３、４および７のいずれか一項に記載の回路。
【請求項９】
請求項１から８のいずれか一項に記載の回路を備える、ｅＮｏｄｅ  Ｂ。
【請求項１０】
通信ネットワークにおいて免許制共用アクセス（ＬＳＡ）帯域割当てを解放するユーザ機器（ＵＥ）用の回路であって、
進化型ノードＢ（ｅＮｏｄｅ  Ｂ）から、セカンダリセル（ＳＣｅｌｌ）を非アクティブ化するスケジュールを示すブロードキャストメッセージを受け取り、
前記スケジュールに基づいて前記ＳＣｅｌｌをいつ解放すべきか決定し、
前記スケジュールで示される選択された時刻に前記通信ネットワーク内の前記ＳＣｅｌｌを解放し、前記ＳＣｅｌｌを解放することによりＬＳＡ帯域割当てを既存の通信ネットワークに解放し、
前記スケジュールで示される前記選択された解放時刻の前に前記ＳＣｅｌｌの８サブフレームを解放することを開始する、回路。
【請求項１１】
通信ネットワークにおいて免許制共用アクセス（ＬＳＡ）帯域割当てを解放するユーザ機器（ＵＥ）用の回路であって、
進化型ノードＢ（ｅＮｏｄｅ  Ｂ）から、セカンダリセル（ＳＣｅｌｌ）を非アクティブ化するスケジュールを示すブロードキャストメッセージを受け取り、
前記スケジュールに基づいて前記ＳＣｅｌｌをいつ解放すべきか決定し、
前記通信ネットワーク内の前記ＳＣｅｌｌを解放し、前記ＳＣｅｌｌを解放することによりＬＳＡ帯域割当てを既存の通信ネットワークに解放し、
前記スケジュールは、複数のＬＳＡ帯域解放パラメータに基づいて決定され、
前記複数のＬＳＡ帯域解放パラメータは、前記ｅＮｏｄｅ  ＢがＬＳＡ帯域の選択された複数のセグメントを全面的に解放するための期間である、ＴＲと、ＬＳＡ帯域解放スケジュールの開始時刻である、ＴＳ、ＴＳから開始してＴＲに至るまでの、ＬＴＥネットワークと既存のネットワークとの間の分配率が更新される周期的な時間間隔である、ＴＣと、ＴＣ時間間隔ごとに前記ｅＮｏｄｅ  Ｂが前記既存のネットワークとの時間共用を減らす時間量である、Ｔｉとを含む、回路。
【請求項１２】
前記スケジュールで示される選択された時刻に前記ＳＣｅｌｌを解放する、請求項１１に記載の回路。
【請求項１３】
前記スケジュールで示される前記選択された解放時刻の前に前記ＳＣｅｌｌの８サブフレームを解放することを開始する、請求項１２に記載の回路。
【請求項１４】
拡張システム情報メッセージが前記ｅＮｏｄｅ  Ｂからブロードキャストされる、請求項１０から１３のいずれか一項に記載の回路。
【請求項１５】
前記ｅＮｏｄｅ  Ｂが前記スケジュールに起因して、前記ＵＥが用いるサービス品質（ＱｏＳ）レベルを提供することができないときに、ハンドオーバコマンドを受け取る、請求項１０から１４のいずれか一項に記載の回路。
【請求項１６】
請求項１０から１５のいずれか一項に記載の回路を備える、ＵＥ。
【請求項１７】
通信ネットワークにおいて免許制共用アクセス（ＬＳＡ）帯域割当てを解放するためのプログラムであって、コンピュータ回路に、
進化型パケットコア（ＥＰＣ）モジュールから、進化型ノードＢ（ｅＮｏｄｅ  Ｂ）にＬＳＡ帯域を解放するよう要求する帯域解放メッセージを受け取る手順と、
複数のＬＳＡ帯域解放パラメータに基づいてＬＳＡ帯域解放スケジュールを決定する手順と、
前記ＬＳＡ帯域を解放する前記ＬＳＡ帯域解放スケジュールに基づいて前記通信ネットワーク内の選択された複数のセカンダリセル（ＳＣｅｌｌ）を解放する手順と、
１つまたは複数のＳＣｅｌｌを非アクティブ化するスケジュールを示す、前記ｅＮｏｄｅ  Ｂのセル内の選択された複数のユーザ機器（ＵＥ）への拡張ブロードキャストメッセージを送る手順と、
を実行させるためのプログラム。
【請求項１８】
通信ネットワークにおいて免許制共用アクセス（ＬＳＡ）帯域割当てを解放するためのプログラムであって、コンピュータ回路に、
進化型パケットコア（ＥＰＣ）モジュールから、進化型ノードＢ（ｅＮｏｄｅ  Ｂ）にＬＳＡ帯域を解放するよう要求する帯域解放メッセージを受け取る手順と、
複数のＬＳＡ帯域解放パラメータに基づいてＬＳＡ帯域解放スケジュールを決定する手順と、
前記ＬＳＡ帯域を解放する前記ＬＳＡ帯域解放スケジュールに基づいて前記通信ネットワーク内の選択された複数のセカンダリセル（ＳＣｅｌｌ）を解放する手順と、
を実行させ、
前記帯域解放メッセージは、前記ＬＳＡ帯域解放スケジュールがいつ始まるかを示す時刻（ＴＳ）を示す、プログラム。
【請求項１９】
前記複数のＬＳＡ帯域解放パラメータは、前記ｅＮｏｄｅ  Ｂが前記ＬＳＡ帯域の選択された複数のセグメントを全面的に解放するための期間である、ＴＲと、前記ＬＳＡ帯域解放スケジュールの開始時刻である、ＴＳと、ＴＳから開始してＴＲに至るまでの、ＬＴＥネットワークと既存のネットワークとの間の分配率が更新される周期的な時間間隔である、ＴＣと、ＴＣ時間間隔ごとに前記ｅＮｏｄｅ  Ｂが前記既存のネットワークとの時間共用を減らす時間量である、Ｔｉとを含む、請求項１７または１８に記載のプログラム。
【請求項２０】
通信ネットワークにおいて免許制共用アクセス（ＬＳＡ）帯域割当てを解放するためのプログラムであって、コンピュータ回路に、
進化型パケットコア（ＥＰＣ）モジュールから、進化型ノードＢ（ｅＮｏｄｅ  Ｂ）にＬＳＡ帯域を解放するよう要求する帯域解放メッセージを受け取る手順と、
複数のＬＳＡ帯域解放パラメータに基づいてＬＳＡ帯域解放スケジュールを決定する手順と、
前記ＬＳＡ帯域を解放する前記ＬＳＡ帯域解放スケジュールに基づいて前記通信ネットワーク内の選択された複数のセカンダリセル（ＳＣｅｌｌ）を解放する手順と、
を実行させ、
前記複数のＬＳＡ帯域解放パラメータは、前記ｅＮｏｄｅ  Ｂが前記ＬＳＡ帯域の選択された複数のセグメントを全面的に解放するための期間である、ＴＲと、前記ＬＳＡ帯域解放スケジュールの開始時刻である、ＴＳと、ＴＳから開始してＴＲに至るまでの、ＬＴＥネットワークと既存のネットワークとの間の分配率が更新される周期的な時間間隔である、ＴＣと、ＴＣ時間間隔ごとに前記ｅＮｏｄｅ  Ｂが前記既存のネットワークとの時間共用を減らす時間量である、Ｔｉとを含む、プログラム。
【請求項２１】
前記帯域解放メッセージは、前記ＬＳＡ帯域解放スケジュールがいつ始まるかを示す時刻（ＴＳ）を示す、請求項１７または２０に記載のプログラム。
【請求項２２】
前記複数のＬＳＡ帯域解放パラメータは所定のパラメータである、請求項１９または２０に記載のプログラム。
【請求項２３】
前記複数のＬＳＡ帯域解放パラメータは、既存の通信ネットワークとリアルタイムで、またはほぼリアルタイムで折衝される、請求項１９、２０および２２のいずれか一項に記載のプログラム。
【請求項２４】
前記コンピュータ回路に、
ＵＥが、前記ＬＳＡ帯域を用いて、サービス品質（ＱｏＳ）閾値を超えるＱｏＳを用いる選択された複数の種類のデータを送るのを制限する手順をさらに実行させるための、請求項１７から２３のいずれか一項に記載のプログラム。
【請求項２５】
前記コンピュータ回路に、
前記通信ネットワーク内の他のｅＮｏｄｅ  Ｂと協調して、前記ＬＳＡ帯域を用いる１つまたは複数のＵＥからのデータトラフィックを受信する手順をさらに実行させるための、請求項１７から２４のいずれか一項に記載のプログラム。
【請求項２６】
前記コンピュータ回路に、
データを転送する複数のＵＥに提供されるサービス品質（ＱｏＳ））レベルを調整する手順をさらに実行させるための、請求項１７から２５のいずれか一項に記載のプログラム。
【請求項２７】
前記コンピュータ回路に、
前記ＬＳＡ帯域解放スケジュールに基づいてＵＥに対する複数のリソースをスケジュールすることによって、前記ＵＥのサービス品質（ＱｏＳ））レベルを調整する手順をさらに実行させるための、請求項１７から２６のいずれか一項に記載のプログラム。
【請求項２８】
請求項１７から２７のいずれか一項に記載のプログラムを格納するコンピュータ可読記憶媒体。
【発明の詳細な説明】
【背景技術】
【０００１】
データ使用量および通信ネットワークのデータ配信容量増大の要求は、携帯電話機、タブレットデバイス、ラップトップなどといったモバイル機器の普及が進むにつれて高まり続けている。通信ネットワークにおける帯域幅の需要増加に対処するために、通信ネットワーク事業者および通信ネットワーク事業者提供者は、免許制共用アクセス（ｌｉｃｅｎｓｅｄ  ｓｈａｒｅｄ  ａｃｃｅｓｓ（ＬＳＡ））帯域を用いるように構成されている基地局を用いて通信ネットワークの帯域幅容量を拡大することができる。基地局は、ＬＳＡ帯域を通信ネットワークの免許通信帯域および免許不要通信帯域と併用して、通信ネットワークが利用可能な通信帯域を拡張することができる。ＬＳＡ帯域は通常、他の事業者（２次ユーザ）がその帯域を通信に使用することを許す既存の事業者（１次ユーザ）に割り当てられている。
【０００２】
２次事業者による１次ユーザのＬＳＡ帯域へのアクセスは、通信帯域不足に対処するために既存の事業者と他の事業者とによるＬＳＡ帯域への協調共用アクセスを許すことによって、利用できる帯域のより効率的な利用を可能にする。他の事業者らは、他の事業者らの通信ネットワーク上でのデータトラフィック増加に対処するために、２次ユーザとしてＬＳＡ帯域を活用することにより、従来はアクセスすることのできなかったより広い帯域にアクセスすることができる。
【図面の簡単な説明】
【０００３】
本開示の特徴および利点は、以下の詳細な説明を、本開示の特徴を共に例示する添付の図面と併せて読めば明らかになるであろう。
【０００４】
【図１】一例による、２次事業者が既存の事業者にＬＳＡ（ｌｉｃｅｎｓｅｄ  ｓｈａｒｅｄ  ａｃｃｅｓｓ）帯域を解放するためのＬＳＡ帯域解放スケジュールの時間割を示す図である。
【０００５】
【図２】一例による、選択された期間にわたって２次事業者から既存の事業者にＬＳＡ帯域を解放するための時間枠を示す図である。
【０００６】
【図３】一例による、１つまたは複数のセカンダリセル（ｓｅｃｏｎｄａｒｙ  ｃｅｌｌ（ＳＣｅｌｌ））を非アクティブ化するスケジュールを示すための拡張ブロードキャストメッセージを示す図である。
【０００７】
【図４】一例による、通信ネットワークにおいてＬＳＡ帯域割当てを解放するように動作する進化型ノードＢ（ｅｖｏｌｖｅｄ  ｎｏｄｅ  Ｂ（ｅＮｏｄｅ  Ｂ））のコンピュータ回路の機能を示す図である。
【０００８】
【図５】一例による、通信ネットワークにおいてＬＳＡ帯域割当てを解放するように動作するユーザ機器（ｕｓｅｒ  ｅｑｕｉｐｍｅｎｔ（ＵＥ））のコンピュータ回路の機能を示す図である。
【０００９】
【図６】一例による、通信ネットワークにおいてＬＳＡ帯域割当てを解放する方法を実施するために実行されるように適合された命令を記憶している非一時的記憶媒体を含む製品を示す図である。
【００１０】
【図７】一例によるＵＥを示す図である。
【発明を実施するための形態】
【００１１】
次に、図示の例示的実施形態を参照する。また本明細書では例示的実施形態を説明するのに特定の用語を使用する。とはいえ、それらの用語は本発明の範囲を限定するためのものではないことが理解されるであろう。
【００１２】
本発明の開示および説明に先立って、当業者には理解されるように、本発明は、本明細書で開示される特定の構造、プロセスステップ、あるいは材料だけに限定されるものではなく、それらの均等物にも適用されるものであることを理解すべきである。また、本明細書で用いられる用語は個々の例を説明する目的で用いられるにすぎず、限定のためにものではないことも理解すべきである。異なる図面における同じ参照符号は同じ要素を表すものである。流れ図およびプロセスに付された番号は、各ステップおよび動作の説明を明確にするためのものであり、必ずしも特定の順序や連続を示すものであるとは限らない。
【００１３】
従来方式では、セルラネットワークのような通信ネットワークにおいて、帯域の利用および割当ては、規制機関からネットワーク事業者への通信帯域の一部の免許付与に基づいて静的に構成される。ネットワーク事業者への静的帯域割当ては、ネットワーク事業者ごとの通信ネットワークの帯域幅を制限することができる。通信ネットワークにおける帯域幅容量を拡大するために、ネットワーク事業者および／または通信ネットワーク提供者は、進化型ノードＢ（ｅｖｏｌｖｅｄ  Ｎｏｄｅ  Ｂ（ｅＮｏｄｅ  Ｂ））といった基地局を用いて通信ネットワークにおける帯域幅容量を拡大することができ、そうした基地局は免許制共用アクセス（ｌｉｃｅｎｓｅｄ  ｓｈａｒｅｄ  ａｃｃｅｓｓ（ＬＳＡ））帯域（ｓｐｅｃｔｒｕｍ）を用いるように構成されている。
【００１４】
ＬＳＡ帯域は通常、１つまたは複数の他の事業者（例えば２次ユーザ）がそのＬＳＡ帯域を通信に使用することを許す既存の事業者（例えば１次ユーザ）に割り当てられている。しかし、ＬＳＡ帯域が２次事業者によって用いられる際に、ＬＳＡ帯域は、既存の事業者がそのＬＳＡ帯域の使用を要求したときに明け渡すことを必要とされる場合がある。従来方式では、既存の事業者が共用帯域を要求したときに、２次事業者が共用帯域を明け渡し、共用帯域を既存の事業者に返すことは２次事業者にとって困難となりうる。例えば、既存の事業者が２次事業者に広いＬＳＡ帯域を解放するよう突然要求した場合、閾値サービス品質（ｑｕａｌｉｔｙ  ｏｆ  ｓｅｒｖｉｃｅ（ＱｏＳ））レベルおよび／または帯域幅レベルを維持し続けることは、利用可能な帯域が著しく減少した状態で提供する２次事業者にとって厳しいものとなりうる。
【００１５】
一構成では、ＬＳＡ帯域は、既存の事業者が１つまたは複数の事前定義パラメータならびに／または折衝によるパラメータおよび条件に従ってＬＳＡ帯域を要求したときに、２次事業者によって明け渡されうる。別の構成では、１つまたは複数の事前定義パラメータならびに／または折衝によるパラメータおよび条件は、既存の事業者と２次事業者とによって合意されうる。一例では、パラメータおよび条件は、帯域が既存の事業者によって用いられる際の位置および／または時間といった、固定されたパラメータおよび条件とすることができる。一実施形態において、事前定義位置および／または事前定義時間といった固定パラメータは、以下の各段落で論じるように、ＬＳＡ帯域解放スケジュールに組み込むことができる。
【００１６】
別の例では、パラメータおよび条件は、１つまたは複数の動的パラメータおよび／または動的条件とすることができる。一実施形態において、既存の事業者は、緊急事態のために、または既存の事業者の通信ネットワーク上の帯域幅需要が増加したときにＬＳＡ帯域の明け渡しを要求することができる。一構成では、ＬＳＡ帯域を、欧州電気通信標準化機構（Ｅｕｒｏｐｅａｎ  ｔｅｌｅｃｏｍｍｕｎｉｃａｔｉｏｎｓ  ｓｔａｎｄａｒｄｓ  ｉｎｓｔｉｔｕｔｅ（ＥＴＳＩ））再構成可能無線システム（ＥＴＳＩ  ｒｅｃｏｎｆｉｇｕｒａｂｌｅ  ｒａｄｉｏ  ｓｙｓｔｅｍ（ＥＴＳＩ  ＲＲＳ））において用いることができる。
【００１７】
一構成では、２次事業者および／または既存の事業者は、通信ネットワークにおける事業者とすることができる。一実施形態において、通信ネットワークはセルラネットワークとすることができる。セルラネットワークは、第３世代パートナーシップ・プロジェクト（３ＧＰＰ）ロング・ターム・エボルーション（ｌｏｎｇ  ｔｅｒｍ  ｅｖｏｌｕｔｉｏｎ（ＬＴＥ））リリース８、９、１０、１１、または１２規格や、米国電気電子技術者協会（ｉｎｓｔｉｔｕｔｅ  ｏｆ  ｅｌｅｃｔｒｏｎｉｃ  ａｎｄ  ｅｌｅｃｔｒｉｃａｌ  ｅｎｇｉｎｅｅｒｓ（ＩＥＥＥ））８０２．１６ｐ、８０２．１６ｎ、８０２．１６ｍ−２０１１、８０２．１６ｈ−２０１０、８０２．１６ｊ−２００９、または８０２．１６−２００９規格といった、セルラ規格に基づいて動作するように構成することができる。
【００１８】
別の実施形態において、通信ネットワークは、ＩＥＥＥ８０２．１１−２０１２、ＩＥＥＥ８０２．１１ａｃ、またはＩＥＥＥ８０２．１１ａｄ規格といった規格を用いて動作するように構成されうる無線ローカル・エリア・ネットワーク（例えばワイヤレス・フィデリティ・ネットワーク（ｗｉｒｅｌｅｓｓ  ｆｉｄｅｌｉｔｙ  ｎｅｔｗｏｒｋ（Ｗｉ−Ｆｉ（登録商標））））とすることができる。別の実施形態において、通信ネットワークは、Ｂｌｕｅｔｏｏｔｈ（登録商標）  ｖ１．０、Ｂｌｕｅｔｏｏｔｈ（登録商標）  ｖ２．０、Ｂｌｕｅｔｏｏｔｈ（登録商標）  ｖ３．０、またはＢｌｕｅｔｏｏｔｈ（登録商標）  ｖ４．０といったＢｌｕｅｔｏｏｔｈ（登録商標）規格を用いて動作するように構成することができる。別の実施形態において、通信ネットワークは、ＩＥＥＥ８０２．１５．４−２００３（ＺｉｇＢｅｅ（登録商標）  ２００３）、ＩＥＥＥ８０２．１５．４−２００６（ＺｉｇＢｅｅ（登録商標）  ２００６）、またはＩＥＥＥ８０２．１５．４−２００７（ＺｉｇＢｅｅ（登録商標）  Ｐｒｏ）規格といったＺｉｇＢｅｅ（登録商標）規格を用いて動作するように構成することができる。
【００１９】
一構成では、３ＧＰＰ  ＬＴＥネットワーク事業者といった２次事業者と既存の事業者とが、２次事業者から既存の事業者にＬＳＡ帯域を解放するための手続きを定義する１つまたは複数のＬＳＡ帯域解放パラメータを折衝することができる。一実施形態において、２次事業者は、２次事業者が既存の事業者から帯域解放メッセージを受け取ったときに、ＬＳＡ帯域解放パラメータに基づいてＬＳＡ帯域を解放することができる。別の実施形態においては、２次事業者が既存の事業者から帯域解放メッセージを受け取ると、２次事業者の通信ネットワーク内の進化型ノードＢ（ｅｖｏｌｖｅｄ  ｎｏｄｅ  Ｂ（ｅＮｏｄｅ  Ｂ））は、選択された期間にわたってＬＳＡ帯域を解放するために、ＳＣｅｌｌ非アクティブ化スケジュールといったＬＳＡ帯域解放スケジュールを算出することができる。別の実施形態において、ｅＮｏｄｅ  Ｂは、ｅＮｏｄｅ  Ｂと通信しているＵＥへＬＳＡ帯域解放スケジュールを伝えることができる。一例では、ｅＮｏｄｅ  Ｂは、各ＵＥへＬＳＡ帯域解放スケジュールをブロードキャストし、またはユニキャストすることができる。
【００２０】
一構成では、ＬＳＡ帯域解放スケジュールの帯域解放期間内に、既存の事業者と２次事業者とは選択された期間にわたってＬＳＡ帯域を共用することができる。一例では、ＬＳＡ帯域解放スケジュールの間、２次事業者がＬＳＡ帯域を用いることができる時間の割当ては、所定の時間割および／または折衝による時間割、例えば、２次事業者から既存の事業者へのＬＳＡ帯域の遷移に従って減少しうる。
【００２１】
一例では、既存の事業者と２次事業者とが所定の時間割および／または折衝による時間割に合意しておらず、あるいは、帯域解放時間割が選択された期間より短いときに、２次事業者の通信ネットワーク内のＵＥのＱｏＳレベルは不確実なレベルまたは低信頼レベルになりうる。別の例では、帯域解放時間割が選択された期間を超えると、既存の事業者には、選択された状況または条件の間に（例えば、緊急通信状況時に）既存の事業者の通信ネットワーク内のＵＥに利用可能な適切な帯域がなくなる可能性がある。一実施形態において、所定の時間割および／または折衝による時間割は、２次事業者が選択されたサービス品質（ｑｕａｌｉｔｙ  ｏｆ  ｓｅｒｖｉｃｅ（ＱｏＳ））レベルを維持することを可能にする選択された期間とすることができる。一例では、所定の時間割および／または折衝による時間割は、利用可能なＬＳＡ帯域についての選択された閾値を超える２次事業者が利用可能なＬＳＡ帯域の変化を回避するように選択することができる。２次事業者から既存の事業者にＬＳＡ帯域を解放するための所定の時間割および／または折衝による時間割の１つの利点は、２次事業者のＵＥにとっての突然の通話切れやＱｏＳ低下を回避すること、および要求時に既存の事業者に利用可能なＬＳＡ帯域が確保されることである。
【００２２】
一実施形態において、２次事業者と既存の事業者とはＬＳＡ帯域解放の時間割またはスケジュールを折衝し、かつ／または再折衝することができる。一構成では、ＬＳＡ帯域解放スケジュールは、ＬＳＡ帯域解放パラメータ、例えば、２次事業者が既存の事業者から帯域解放メッセージを受け取ったときに２次事業者がＬＳＡ帯域を解放するためのパラメータに基づくものとすることができる。
【００２３】
図１に、２次事業者１２０が既存の事業者１１０にＬＳＡ帯域（ＬＳＡ  ｓｐｅｃｔｒｕｍ）を解放するためのＬＳＡ帯域解放スケジュールの時間割を示す。図１には、以下を含むＬＳＡ帯域解放パラメータがさらに示されている。ｅＮｏｄｅ  ＢがＬＳＡ帯域の選択されたセグメントを全面的に解放するための期間である、ＴＲ、ＬＳＡ帯域解放スケジュールの開始時刻である、ＴＳ、ＴＳから開始してＴＲに至るまでの、ＬＴＥネットワークと既存のネットワークとの間の分配率が更新される周期的な時間間隔である、ＴＣ、およびＴＣ時間間隔ごとにｅＮｏｄｅ  Ｂが既存のネットワークとの時間共用を減らす時間量である、Ｔｉ。一実施形態においては、ＴＲ分配率時間単位を、選択された数のＴＣ時間単位に分割することができる。
【００２４】
一例では、ブロック１３０に示すように、既存の事業者は、１ＴＩ時間単位にわたってＬＳＡ帯域を用いることができ、２次事業者は、ＴＣ時間単位中の残りの期間にわたってＬＳＡ帯域を用いることができる。別の例では、ブロック１４０に示すように、既存の事業者は、２ＴＩ時間単位にわたってＬＳＡ帯域を用いることができ、２次事業者は、ＴＣ時間単位中の残りの期間にわたってＬＳＡ帯域を用いることができる。別の例では、ＬＳＡ帯域がＬＳＡ帯域解放スケジュール（例えばＴＲ）の終了時に既存の事業者に全面的に解放されるまで、既存の事業者がＬＳＡ帯域を用いることができる時間量は、２次事業者がＬＳＡ帯域を用いることができる時間量が減少するに従って増加しうる。一実施形態においては、３ＧＰＰ  ＬＴＥネットワークの事業者といった２次事業者は、キャリアアグリゲーションを用いて、２次事業者のプライマリ帯域と併せてＳＣｅｌｌとしてＬＳＡ帯域を利用することができる。
【００２５】
図２に、選択された期間にわたって２次事業者から既存の事業者にＬＳＡ帯域を解放するための時間枠を示す。一例では、ブロック２１０に示すように、２次事業者のｅＮｏｄｅ  Ｂは、ＬＳＡ帯域を既存の事業者に解放するための既存の事業者からの帯域解放メッセージを受け取ることができる。一実施形態において、帯域解放メッセージは、ＬＳＡ帯域解放スケジュールがいつ始まるかを示す特定の時刻（ＴＳ）を含むことができる。別の例では、ｅＮｏｄｅ  Ｂは、１つまたは複数のＬＳＡ帯域解放パラメータ（例えば、ＴＩ、ＴＣおよび／またはＴＲ）を評価し、ＴＲ期間にわたるＬＳＡ帯域の可用性の変化（例えば、ＬＳＡ帯域の解放）を決定することができる。別の例では、ブロック２２０に示すように、ｅＮｏｄｅ  Ｂは、ＬＳＡ帯域解放パラメータに基づいて、アドミッション制御およびＬＳＡ帯域解放スケジュールを決定することができる。
【００２６】
一例では、ブロック２３０に示すように、ｅＮｏｄｅ  Ｂは、ｅＮｏｄｅ  Ｂのセル内の選択されたＵＥへ、ＬＳＡ帯域上のＳＣｅｌｌの非アクティブ化スケジュールを含む拡張ブロードキャストメッセージを送ることができる。一実施形態において、拡張ブロードキャストメッセージは、パラメータＴＳ、ＴＲ、ＴＣ、ＴＩおよび／または非アクティブ化すべきＳＣｅｌｌの識別情報を含むことができる。別の実施形態において、ｅＮｏｄｅ  Ｂは、ＬＳＡ帯域の解放が各ＵＥに及ぼす影響を最小化するために、ＬＳＡ帯域解放パラメータに基づいて１つまたは複数のステップを行うことができる。一構成では、１つまたは複数のステップは、ｅＮｏｄｅ  Ｂが事前対応的なアドミッション制御を行って、１つまたは複数のＵＥが、ＬＳＡ帯域を用いて、ＱｏＳ（ｑｕａｌｉｔｙ  ｏｆ  ｓｅｒｖｉｃｅ）閾値を超えるＱｏＳを用いる選択された種類のデータを送るのを制限することを含むことができる。例えば、ｅＮｏｄｅ  Ｂは、ＬＳＡ帯域解放スケジュール時のｅＮｏｄｅ  Ｂが利用可能な帯域の変化により選択されたＱｏＳレベルでサポートされない可能性のある音声通話および／またはデータ転送を制限することができる。別の構成では、１つまたは複数のステップは、ＬＳＡ帯域解放スケジュール時のｅＮｏｄｅ  Ｂが利用可能な帯域の変化に対処するために、ｅＮｏｄｅ  Ｂが隣接するｅＮｏｄｅ  Ｂと協調して、選択されたＵＥを隣接するＵＥにハンドオーバすることを含むことができる。別の構成では、１つまたは複数のステップは、ｅＮｏｄｅ  Ｂが、ＬＳＡ帯域解放スケジュール時のリソーススケジューリングを通じて、ＵＥによる音声および／またはデータ通信、例えばＵＥによる進行中の通話のＱｏＳレベルを調整することを含むことができる。
【００２７】
一例では、ブロック２４０に示すように、ｅＮｏｄｅ  ＢおよびＵＥは、ＬＳＡ帯域解放スケジュールに基づいてＳＣｅｌｌを非アクティブ化することができる。一構成では、ｅＮｏｄｅ  ＢおよびＵＥは、既存の事業者がＬＳＡ帯域を用いる予定であるときに、ＬＳＡ帯域と関連付けられたＳＣｅｌｌとのデータ通信を中止することができる。別の構成では、ｅＮｏｄｅ  ＢおよびＵＥは、選択された期間ＤＳＣにわたってＬＳＡ帯域上でＳＣｅｌｌを非アクティブ化することができる。別の構成では、ｅＮｏｄｅ  ＢおよびＵＥは、次のＴＣの開始前にＳＣｅｌｌの８サブフレームを非アクティブ化することができる。一実施形態において、ｅＮｏｄｅ  ＢおよびＵＥは、８ミリ秒（ｍｓ）間ＳＣｅｌｌを非アクティブ化することができ、各サブフレームは１ミリ秒間である。別の実施形態において、ＳＣｅｌｌの非アクティブ化は、非アクティブ化が完全に効果を及ぼすためのＤＳＣを取ることができる。別の例では、ブロック２５０に示すように、ＴＲ期間の終了時に、ｅＮｏｄｅ  Ｂは、ＳＣｅｌｌを解放するＵＥへの無線リソース制御（ｒａｄｉｏ  ｒｅｓｏｕｒｃｅ  ｃｏｎｔｒｏｌ（ＲＲＣ））コマンドを送ることができる。一実施形態においては、ＵＥがＲＲＣコマンドに基づいてＳＣｅｌｌを解放すると、ＬＳＡ帯域は既存の事業者に全面的に解放される。一例では、ＬＳＡ帯域が既存の事業者に全面的に解放されると、ｅＮｏｄｅ  ＢおよびＵＥは、ＬＳＡ帯域上ではなく、２次事業者と関連付けられたプライマリセル（ｐｒｉｍａｒｙ  ｃｅｌｌ（ＰＣｅｌｌ））上でデータ通信を続行することができる
【００２８】
一例では、ブロック２６０に示すように、ｅＮｏｄｅ  ＢおよびＵＥがＬＳＡ帯域を全面的に解放すると、既存の事業者は、ＬＳＡ帯域の全面的な使用を開始することができる。別の例では、既存の事業者は、選択された数の期間ＴＩ、例えばｋＴＩにわたってＬＳＡ帯域を全面的に用いることができる。一実施形態において、ｋは１以上（例えばｋ≧１）である。別の例では、ブロック２７０に示すように、期間ｋＴＩが満了すると、ｅＮｏｄｅ  ＢおよびｅＮｏｄｅ  ＢのＵＥは、ＳＣｅｌｌを再アクティブ化することができる。一実施形態において、２次事業者と既存の事業者とは、ｅＮｏｄｅ  ＢおよびＵＥがＳＣｅｌｌを再アクティブ化する前に、ＬＳＡ帯域解放パラメータを再折衝することができる。別の実施形態において、ｅＮｏｄｅ  ＢおよびＵＥは、ｅＮｏｄｅ  ＢおよびＵＥが以前に用いていたＳＣｅｌｌとは異なるＳＣｅｌｌを再アクティブ化することができる。別の実施形態において、ｅＮｏｄｅ  ＢおよびＵＥは、ｅＮｏｄｅ  ＢおよびＵＥが以前に用いていたＳＣｅｌｌとは異なる量のＳＣｅｌｌを再アクティブ化することができる。別の例では、ブロック２８０に示すように、ｅＮｏｄｅ  ＢおよびＵＥがＳＣｅｌｌを再アクティブ化すると、既存の事業者は、ＬＳＡ帯域の少なくとも一部分の使用を中止することができる。
【００２９】
図３に、通信ネットワーク内の１つまたは複数のＳＣｅｌｌを非アクティブ化するスケジュールを示すための拡張ブロードキャストメッセージ３００を示す。図３には、拡張ブロードキャストメッセージが、ｓｙｓｔｅｍＩｎｆｏｒｍａｔｉｏｎＢｌｏｃｋＴｙｐｅ２情報要素にＳＣｅｌｌ−ｄｅａｃｔｉｖａｔｉｏｎ−ｓｃｈｅｄｕｌｅ−ｌｉｓｔフィールドを含むことができることがさらに示されている。一実施形態において、ｓｙｓｔｅｍＩｎｆｏｒｍａｔｉｏｎＢｌｏｃｋＴｙｐｅ２情報要素のＳＣｅｌｌ−ｄｅａｃｔｉｖａｔｉｏｎ−ｓｃｈｅｄｕｌｅ−ｌｉｓｔフィールドは太字体である。
【００３０】
ＬＳＡ帯域解放スケジュールを用いることの１つの利点は、２次事業者が累進的な期間にわたってＬＳＡ帯域を既存の事業者に解放し、または返還することにより、既存の事業者と２次事業者との間のリソース共用を高めると同時に、２次事業者がＬＳＡ帯域を用いている間の２次事業者によるデータ転送に及ぼす影響を最小限に抑えることである。
【００３１】
別の例は、図４の流れ図に示すように、通信ネットワークにおいてＬＳＡ（ｌｉｃｅｎｓｅｄ  ｓｈａｒｅｄ  ａｃｃｅｓｓ）帯域割当てを解放するように動作するｅＮｏｄｅ  Ｂのコンピュータ回路の機能４００を提供する。この機能は方法として実現されてもよく、あるいはこの機能は機械上の命令として実行されてもよく、命令は、少なくとも１つのコンピュータ可読媒体または１つの非一時的機械可読記憶媒体上に含まれる。コンピュータ回路は、ブロック４１０に示すように、通信ネットワークの進化型パケットコア（ｅｖｏｌｖｅｄ  ｐａｃｋｅｔ  ｃｏｒｅ（ＥＰＣ））に位置する帯域解放モジュールから、ＬＳＡ帯域の１つまたは複数の選択されたセグメントを解放するようｅＮｏｄｅ  Ｂに要求する帯域解放メッセージを受け取るように構成することができる。コンピュータ回路は、ブロック４２０に示すように、ＬＳＡ帯域の１つまたは複数の選択されたセグメントを解放するためのＬＳＡ帯域解放パラメータを評価するようにさらに構成することができる。コンピュータ回路は、ブロック４３０に示すように、ＬＳＡ帯域解放パラメータに基づいてＬＳＡ帯域解放スケジュールを決定するようにさらに構成することができる。コンピュータ回路は、ブロック４４０に示すように、ＬＳＡ帯域の１つまたは複数の選択されたセグメントを解放するためにＬＳＡ帯域解放スケジュールに基づいて通信ネットワーク内の選択されたＳＣｅｌｌ（ｓｅｃｏｎｄａｒｙ  ｃｅｌｌ）を非アクティブ化するようにさらに構成することができる。
【００３２】
一実施形態において、コンピュータ回路は、１つまたは複数のＳＣｅｌｌを非アクティブ化するスケジュールを示す、ｅＮｏｄｅ  Ｂのセル内の選択されたＵＥ（ｕｓｅｒ  ｅｑｕｉｐｍｅｎｔ）への拡張ブロードキャストメッセージを送るようにさらに構成することができる。別の実施形態において、コンピュータ回路は、ｅＮｏｄｅ  Ｂのセル内の各ＵＥへ、ＬＳＡ帯域割当てを全面的に解放するために１つまたは複数の選択されたＳＣｅｌｌを解放する無線リソース制御（ＲＲＣ）コマンドを送るようにさらに構成することができる。別の実施形態において、ＬＳＡ帯域解放パラメータは以下を含む。ｅＮｏｄｅ  ＢがＬＳＡ帯域の選択されたセグメントを全面的に解放するための期間である、ＴＲ、ＬＳＡ帯域解放スケジュールの開始時刻である、ＴＳ、ＴＳから開始してＴＲに至るまでの、ＬＴＥネットワークと既存のネットワークとの間の分配率が更新される周期的な時間間隔である、ＴＣ、およびＴＣ時間間隔ごとにｅＮｏｄｅ  Ｂが既存のネットワークとの時間共用を減らす時間量である、Ｔｉ。
【００３３】
一構成では、ＬＳＡ帯域解放パラメータは、既存の通信ネットワークとリアルタイムで、またはほぼリアルタイムで折衝される。別の構成では、コンピュータ回路は、時刻ＴＲまでＴＣ時間間隔ごとに期間ＴＣ−Ｔｉにわたって、選択されたＳＣｅｌｌ（ｓｅｃｏｎｄａｒｙ  ｃｅｌｌ）のうちの１つまたは複数を用いるようにさらに構成することができる。
【００３４】
別の例は、図５の流れ図に示すように、通信ネットワークにおいてＬＳＡ（ｌｉｃｅｎｓｅｄ  ｓｈａｒｅｄ  ａｃｃｅｓｓ）帯域割当てを解放するように動作するＵＥのコンピュータ回路の機能５００を提供する。この機能は方法として実現されてもよく、あるいはこの機能は機械上の命令として実行されてもよく、命令は、少なくとも１つのコンピュータ可読媒体または１つの非一時的機械可読記憶媒体上に含まれる。コンピュータ回路は、ブロック５１０に示すように、ｅＮｏｄｅ  Ｂ（ｅｖｏｌｖｅｄ  ｎｏｄｅ  Ｂ）から、ＳＣｅｌｌ（ｓｅｃｏｎｄａｒｙ  ｃｅｌｌ）を非アクティブ化するスケジュールを示すブロードキャストメッセージを受け取るようにさらに構成することができる。コンピュータ回路は、ブロック５２０に示すように、スケジュールに基づいてＳＣｅｌｌをいつ解放すべきか決定するようにさらに構成することができる。コンピュータ回路は、ブロック５３０に示すように、通信ネットワーク内のＳＣｅｌｌを解放し、ＳＣｅｌｌを解放することによりＬＳＡ帯域割当てを既存の通信ネットワークに解放するようにさらに構成することができる。
【００３５】
一実施形態において、コンピュータ回路は、スケジュールで示される選択された時刻にＳＣｅｌｌを解放するようにさらに構成することができる。別の実施形態において、コンピュータ回路は、スケジュールで示される選択された解放時刻の前にＳＣｅｌｌの８サブフレームを解放することを開始するようにさらに構成することができる。別の実施形態においては、拡張システム情報メッセージがｅＮｏｄｅ  Ｂからブロードキャストされる。別の実施形態において、コンピュータ回路は、ｅＮｏｄｅ  ＢがＬＳＡ解放スケジュールに起因して、ＵＥが用いるＱｏＳ（ｑｕａｌｉｔｙ  ｏｆ  ｓｅｒｖｉｃｅ）レベルを提供することができないときに、ハンドオーバコマンドを受け取るようにさらに構成することができる。
【００３６】
別の例は、図６の流れ図に示すように、通信ネットワークにおいてＬＳＡ（ｌｉｃｅｎｓｅｄ  ｓｈａｒｅｄ  ａｃｃｅｓｓ）帯域割当てを解放する方法を実施するために実行されるように適合された命令を記憶している非一時的記憶媒体を含む製品の機能６００を提供する。製品の命令は、方法として実現されてもよく、機械上の命令として実現されてもよく、命令は、少なくとも１つのコンピュータ可読媒体または１つの非一時的機械可読記憶媒体上に含まれる。本方法は、ブロック６１０に示すように、ＥＰＣ（ｅｖｏｌｖｅｄ  ｐａｃｋｅｔ  ｃｏｒｅ）モジュールから、ｅＮｏｄｅ  ＢにＬＳＡ帯域を解放するよう要求する帯域解放メッセージを受け取ることを含むことができる。本方法は、ブロック６２０に示すように、ＬＳＡ帯域解放パラメータに基づいてＬＳＡ帯域解放スケジュールを決定することをさらに含むことができる。本方法は、ブロック６３０に示すように、ＬＳＡ帯域を解放するＬＳＡ帯域解放スケジュールに基づいて通信ネットワーク内の選択されたＳＣｅｌｌ（ｓｅｃｏｎｄａｒｙ  ｃｅｌｌ）を解放することをさらに含むことができる。
【００３７】
一例では、帯域解放メッセージは、ＬＳＡ帯域解放スケジュールがいつ始まるかを示す時刻（ＴＳ）を示す。別の例では、ＬＳＡ帯域解放パラメータは以下を含む。ｅＮｏｄｅ  ＢがＬＳＡ帯域の選択されたセグメントを全面的に解放するための期間である、ＴＲ、ＬＳＡ帯域解放スケジュールの開始時刻である、ＴＳ、ＴＳから開始してＴＲに至るまでの、ｅＮｏｄｅ  Ｂと既存のネットワークとの間の分配率が更新される周期的な時間間隔である、ＴＣ、およびＴＣ時間間隔ごとにｅＮｏｄｅ  Ｂが既存のネットワークとの時間共用を減らす時間量である、Ｔｉ。別の例では、ＬＳＡ帯域解放パラメータは所定のパラメータである。別の例では、ＬＳＡ帯域解放パラメータは、既存の通信ネットワークとリアルタイムで、またはほぼリアルタイムで折衝される。別の例では、本方法は、ＵＥが、ＬＳＡ帯域を用いて、ＱｏＳ（ｑｕａｌｉｔｙ  ｏｆ  ｓｅｒｖｉｃｅ）閾値を超えるＱｏＳを用いる選択された種類のデータを送るのを制限することをさらに含むことができる。
【００３８】
一構成では、本方法は、通信ネットワーク内の他のｅＮｏｄｅ  Ｂと協調して、ＬＳＡ帯域を用いる１つまたは複数のＵＥからのデータトラフィックを受信することをさらに含むことができる。別の構成では、本方法は、データを転送するＵＥに提供されるＱｏＳ（ｑｕａｌｉｔｙ  ｏｆ  ｓｅｒｖｉｃｅ）レベルを調整することをさらに含むことができる。別の構成では、本方法は、ＬＳＡ帯域解放スケジュールに基づいてＵＥのリソースをスケジュールすることによって、ＵＥのＱｏＳ（ｑｕａｌｉｔｙ  ｏｆ  ｓｅｒｖｉｃｅ）レベルを調整することをさらに含むことができる。
【００３９】
図７に、ＵＥ（ｕｓｅｒ  ｅｑｕｉｐｍｅｎｔ）、移動局（ｍｏｂｉｌｅ  ｓｔａｔｉｏｎ（ＭＳ））、移動無線機器、移動通信機器、タブレット、ハンドセット、または他の種類の無線機器といった無線機器の実例を示す。本無線機器は、基地局（ｂａｓｅ  ｓｔａｔｉｏｎ（ＢＳ））、進化型ノードＢ（ｅｖｏｌｖｅｄ  Ｎｏｄｅ  Ｂ（ｅＮＢ））、ベースバンド部（ｂａｓｅｂａｎｄ  ｕｎｉｔ（ＢＢＵ））、リモート・ラジオ・ヘッド（ｒｅｍｏｔｅ  ｒａｄｉｏ  ｈｅａｄ（ＲＲＨ））、リモート無線装置（ｒｅｍｏｔｅ  ｒａｄｉｏ  ｅｑｕｉｐｍｅｎｔ（ＲＲＥ））、中継局（ｒｅｌａｙ  ｓｔａｔｉｏｎ（ＲＳ））、無線装置（ｒａｄｉｏ  ｅｑｕｉｐｍｅｎｔ（ＲＥ））、リモート・ラジオ・ユニット（ｒｅｍｏｔｅ  ｒａｄｉｏ  ｕｎｉｔ（ＲＲＵ））、中央処理モジュール（ｃｅｎｔｒａｌ  ｐｒｏｃｅｓｓｉｎｇ  ｍｏｄｕｌｅ（ＣＰＭ））、または他の種類の無線広域ネットワーク（ｗｉｒｅｌｅｓｓ  ｗｉｄｅ  ａｒｅａ  ｎｅｔｗｏｒｋ（ＷＷＡＮ））アクセスポイントといった、ノードまたは送信局と通信するように構成された１つまたは複数のアンテナを含むことができる。本無線機器は、３ＧＰＰ  ＬＴＥ、ＷｉＭＡＸ、高速パケットアクセス（Ｈｉｇｈ  Ｓｐｅｅｄ  Ｐａｃｋｅｔ  Ａｃｃｅｓｓ（ＨＳＰＡ））、Ｂｌｕｅｔｏｏｔｈ（登録商標）、およびＷｉ−Ｆｉ（登録商標）を含む少なくとも１つの無線通信規格を用いて通信するように構成することができる。本無線機器は、無線通信規格ごとに別々のアンテナ、または複数の無線通信規格の共用アンテナを用いて通信することができる。本無線機器は、無線ローカル・エリア・ネットワーク（ｗｉｒｅｌｅｓｓ  ｌｏｃａｌ  ａｒｅａ  ｎｅｔｗｏｒｋ（ＷＬＡＮ））、無線パーソナル・エリア・ネットワーク（ｗｉｒｅｌｅｓｓ  ｐｅｒｓｏｎａｌ  ａｒｅａ  ｎｅｔｗｏｒｋ（ＷＰＡＮ））、および／またはＷＷＡＮにおいて通信することができる。
【００４０】
図７には、オーディオ入力および無線機器からの出力に用いることができるマイクロフォンおよび１つまたは複数のスピーカの図も示されている。表示画面は、液晶ディスプレイ（ｌｉｑｕｉｄ  ｃｒｙｓｔａｌ  ｄｉｓｐｌａｙ（ＬＣＤ））画面、または有機発光ダイオード（ｏｒｇａｎｉｃ  ｌｉｇｈｔ  ｅｍｉｔｔｉｎｇ  ｄｉｏｄｅ（ＯＬＥＤ））ディスプレイといった他の種類の表示画面とすることができる。表示画面は、タッチスクリーンとして構成することができる。タッチスクリーンは、静電容量式、抵抗式、または別の種類のタッチスクリーン技術を用いることができる。処理能力および表示能力を提供するために内部メモリにアプリケーションプロセッサおよびグラフィックスプロセッサを結合することができる。ユーザにデータ入力／出力オプションを提供するために不揮発性メモリポートを用いることもできる。不揮発性メモリポートは、本無線機器のメモリ機能を拡張するのに用いることもできる。追加的なユーザ入力を提供するためにキーボードを本無線機器と統合し、または本無線機器に無線接続することもできる。タッチスクリーンを用いて仮想キーボードを提供することもできる。
【００４１】
様々な技法、またはその特定の局面もしくは部分は、フロッピー（登録商標）ディスケット、ＣＤ−ＲＯＭ、ハードドライブ、非一時的コンピュータ可読記憶媒体、または任意の他の機械可読記憶媒体といった有形の媒体において具現化されたプログラムコード（すなわち命令）の形態を取ることができ、プログラムコードが、コンピュータといった機械にロードされ、機械によって実行されると、機械は様々な技法を実施するための装置になる。プログラマブルコンピュータ上でのプログラムコード実行の場合には、コンピューティングデバイスは、プロセッサと、（揮発性および不揮発性のメモリおよび／または記憶素子を含む）プリプロセッサが読取り可能な記憶媒体と、少なくとも１台の入力装置と、少なくとも１台の出力装置とを含むことができる。揮発性および不揮発性のメモリおよび／または記憶素子は、ＲＡＭ、ＥＰＲＯＭ、フラッシュドライブ、光ドライブ、磁気ハードドライブ、または電子データを記憶するための他の媒体とすることができる。基地局および移動局は、送受信モジュール、カウンタモジュール、処理モジュール、および／またはクロックモジュールもしくはタイマモジュールも含むことができる。本明細書に記載される様々な技法を実現し、または利用することができる１つまたは複数のプログラムは、アプリケーション・プログラミング・インターフェース（ａｐｐｌｉｃａｔｉｏｎ  ｐｒｏｇｒａｍｍｉｎｇ  ｉｎｔｅｒｆａｃｅ（ＡＰＩ））、再利用可能なコントロールなどを用いることができる。そうしたプログラムは、コンピュータシステムと通信するために高水準手続き型プログラミング言語またはオブジェクト指向プログラミング言語として実現することができる。しかしながら、（１つまたは複数の）プログラムは、必要に応じて、アセンブル言語または機械語として実現することもできる。いずれにせよ、言語はコンパイラ型言語またはインタープリタ型言語とし、ハードウェア実装と組み合わせることができる。
【００４２】
本明細書に記載されている機能部の多くは、それらの実装上の独立性を特に強調するために、モジュールとして表示されていることを理解すべきである。例えば、モジュールは、カスタムＶＬＳＩ回路またはゲートアレイ、論理チップやトランジスタや他のディスクリート部品といった既製の半導体を含むハードウェアとして実現することもできる。モジュールは、フィールド・プログラマブル・ゲート・アレイ、プログラマブル・アレイ・ロジック、プログラマブル論理デバイスなどといったプログラマブル・ハードウェア・デバイスとして実現することもできる。
【００４３】
モジュールは様々な種類のプロセッサが実行するためのソフトウェアとして実現することもできる。実行可能コードの１つの個別モジュールは、例えば、コンピュータ命令の１つまたは複数の物理ブロックまたは論理ブロックを含むことができ、それらの命令は、例えば、オブジェクト、手続き、または関数として編成することができる。とはいえ、個別モジュールの実行可能命令は物理的にまとまって位置する必要はなく、論理的に相互に結合されると、モジュールを構成し、そのモジュールについて記述された目的を達成する、異なる位置に記憶された異種の命令を含むことができる。
【００４４】
実際、実行可能コードのモジュールは、単一の命令とすることも、多数の命令とすることもでき、いくつかの異なるコードセグメントにわたって、異なるプログラムの間で、数台のメモリデバイスにまたがって分散させることさえもできる。同様に、運用データも、この場合、各モジュール内で識別し、例示することができ、任意の適切な形態として具現化し、任意の適切な種類のデータ構造内で編成することができる。運用データは、単一のデータセットとして収集することもでき、異なる記憶装置にわたるものを含めて、異なる位置にわたって分散させることもでき、少なくとも一部は、単にシステムまたはネットワーク上の電気信号として存在しうる。各モジュールは、所望の機能を果たすように動作するエージェントを含めて、受動的であっても、能動的であってもよい。
【００４５】
本明細書全体を通して、「一例（ａｎ  ｅｘａｍｐｌｅ）」という場合、それは、その例と関連して記述される特定の特徴、構造、または特性が本発明の少なくとも１つの実施形態に含まれることを意味する。よって、本明細書全体の様々な箇所で「一例では（ｉｎ  ａｎ  ｅｘａｍｐｌｅ）」という句が使用される場合、それは必ずしもすべてが同じ実施形態を指しているとは限らない。
【００４６】
本明細書で用いる場合、複数の項目、構造要素、構成要素、および／または材料は、便宜上共通リストとして提示される場合がある。しかしながら、これらのリストは、リストの各要素が別々の固有の要素として個別に識別されるものであるかのように解釈すべきである。よって、そうしたリストの個別要素はいずれも、単にそれらの要素がそれらに反する指示を示さずに共通グループとして提示されていることのみに基づいて、同じリストの任意の他の要素の事実上の均等物であると解釈すべきではない。加えて、本発明の様々な実施形態および例は、本明細書において、それらの実施形態および例の様々な構成要素の代替形態と共に言及されている場合もある。そうした実施形態、例、および代替形態は、相互の事実上の均等物と解釈すべきではなく、本発明の別々の自律的な表現とみなすべきであることが理解されるものである。
【００４７】
さらに、記載されている特徴、構造、または特性は、１つまたは複数の実施形態において任意の適切なやり方で組み合わせることもできる。以上の説明においては、本発明の実施形態の十分な理解を提供するために、レイアウト、距離の例、ネットワーク例などといった多数の具体的詳細が示されている。しかし、本発明はそれら具体的詳細の１つまたは複数なしで、あるいは、他の方法、構成要素、レイアウトなどを用いて実施することもできることを、当業者は理解するであろう。場合によっては、本発明の態様を不明確にしないように、周知の構造、材料、または動作を詳細に図示せず、説明していない。
【００４８】
以上の各例は１つまたは複数の特定の用途における本発明の原理を例示するものであるが、発明力を行使せずに、本発明の原理および概念を逸脱することなく、形態、用法および実装詳細における多数の変更がなされうることが、当業者には明らかであろう。したがって、本発明が添付の特許請求の範囲によるもの以外によって限定されることは意図されていない。
［項目１］
通信ネットワークにおいて免許制共用アクセス（ＬＳＡ）帯域割当てを解放するように動作する進化型ノードＢ（ｅＮｏｄｅ  Ｂ）であって、上記ｅＮｏｄｅ  Ｂは、
上記通信ネットワークの進化型パケットコア（ＥＰＣ）に位置する帯域解放モジュールから、ＬＳＡ帯域の１つまたは複数の選択されたセグメントを解放するよう上記ｅＮｏｄｅ  Ｂに要求する帯域解放メッセージを受け取り、
上記ＬＳＡ帯域の上記１つまたは複数の選択されたセグメントを解放するための複数のＬＳＡ帯域解放パラメータを評価し、
上記複数のＬＳＡ帯域解放パラメータに基づいてＬＳＡ帯域解放スケジュールを決定し、
上記ＬＳＡ帯域の上記１つまたは複数の選択されたセグメントを解放するために上記ＬＳＡ帯域解放スケジュールに基づいて上記通信ネットワーク内の選択された複数のセカンダリセル（ＳＣｅｌｌ）を非アクティブ化する、
ように構成された回路を備える、ｅＮｏｄｅ  Ｂ。
［項目２］
１つまたは複数のＳＣｅｌｌを非アクティブ化するスケジュールを示す、上記ｅＮｏｄｅ  Ｂのセル内の選択された複数のユーザ機器（ＵＥ）への拡張ブロードキャストメッセージを送るようにさらに構成された、項目１に記載の回路。
［項目３］
上記ｅＮｏｄｅ  Ｂの上記セル内の各ＵＥへ、上記ＬＳＡ帯域割当てを全面的に解放するために選択された上記１つまたは複数のＳＣｅｌｌを解放する無線リソース制御（ＲＲＣ）コマンドを送るようにさらに構成された、項目１に記載の回路。
［項目４］
上記複数のＬＳＡ帯域解放パラメータは、上記ｅＮｏｄｅ  Ｂが上記ＬＳＡ帯域の上記選択された複数のセグメントを全面的に解放するための期間である、ＴＲと、上記ＬＳＡ帯域解放スケジュールの開始時刻である、ＴＳ、ＴＳから開始してＴＲに至るまでの、ＬＴＥネットワークと既存のネットワークとの間の分配率が更新される周期的な時間間隔である、ＴＣと、ＴＣ時間間隔ごとに上記ｅＮｏｄｅ  Ｂが上記既存のネットワークとの時間共用を減らす時間量である、Ｔｉと
を含む、項目１に記載の回路。
［項目５］
上記複数のＬＳＡ帯域解放パラメータは、既存の通信ネットワークとリアルタイムで、またはほぼリアルタイムで折衝される、項目４に記載の回路。
［項目６］
時刻ＴＲまでＴＣ時間間隔ごとに期間ＴＣ〜Ｔｉにわたって、上記複数の選択されたセカンダリセル（ＳＣｅｌｌ）のうちの１つまたは複数を用いるようにさらに構成された、項目１に記載の回路。
［項目７］
通信ネットワークにおいて免許制共用アクセス（ＬＳＡ）帯域割当てを解放するように動作するユーザ機器（ＵＥ）であって、上記ＵＥは、
進化型ノードＢ（ｅＮｏｄｅ  Ｂ）から、セカンダリセル（ＳＣｅｌｌ）を非アクティブ化するスケジュールを示すブロードキャストメッセージを受け取り、
上記スケジュールに基づいて上記ＳＣｅｌｌをいつ解放すべきか決定し、
上記通信ネットワーク内の上記ＳＣｅｌｌを解放し、上記ＳＣｅｌｌを解放することによりＬＳＡ帯域割当てを既存の通信ネットワークに解放する、
ように構成された回路を有する、ＵＥ。
［項目８］
上記スケジュールで示される選択された時刻に上記ＳＣｅｌｌを解放するようにさらに構成された、項目７に記載の回路。
［項目９］
上記スケジュールで示される上記選択された解放時刻の前に上記ＳＣｅｌｌの８サブフレームを解放することをさらに開始するようにさらに構成された、項目８に記載の回路。
［項目１０］
拡張システム情報メッセージが上記ｅＮｏｄｅ  Ｂからブロードキャストされる、項目７に記載の回路。
［項目１１］
上記ｅＮｏｄｅ  Ｂが上記ＬＳＡ解放スケジュールに起因して、上記ＵＥが用いるサービス品質（ＱｏＳ）レベルを提供することができないときに、ハンドオーバコマンドを受け取るようにさらに構成された、項目７に記載の回路。
［項目１２］
通信ネットワークにおいて免許制共用アクセス（ＬＳＡ）帯域割当てを解放する方法を実施するために実行されるように適合された複数の命令を記憶している非一時的記憶媒体を含む製品であって、上記方法は、
進化型パケットコア（ＥＰＣ）モジュールから、上記ｅＮｏｄｅ  ＢにＬＳＡ帯域を解放するよう要求する帯域解放メッセージを受け取ることと、
複数のＬＳＡ帯域解放パラメータに基づいてＬＳＡ帯域解放スケジュールを決定することと、
上記ＬＳＡ帯域を解放する上記ＬＳＡ帯域解放スケジュールに基づいて上記通信ネットワーク内の選択された複数のセカンダリセル（ＳＣｅｌｌ）を解放することと、
を含む、製品。
［項目１３］
上記帯域解放メッセージは、上記ＬＳＡ帯域解放スケジュールがいつ始まるかを示す時刻（ＴＳ）を示す、項目１２に記載の製品。
［項目１４］
上記複数のＬＳＡ帯域解放パラメータは、上記ｅＮｏｄｅ  Ｂが上記ＬＳＡ帯域の上記選択された複数のセグメントを全面的に解放するための期間である、ＴＲと、上記ＬＳＡ帯域解放スケジュールの開始時刻である、ＴＳと、ＴＳから開始してＴＲに至るまでの、上記ｅＮｏｄｅ  Ｂと既存のネットワークとの間の分配率が更新される周期的な時間間隔である、ＴＣと、ＴＣ時間間隔ごとに上記ｅＮｏｄｅ  Ｂが上記既存のネットワークとの時間共用を減らす時間量である、Ｔｉと
を含む、項目１２に記載の製品。
［項目１５］
上記複数のＬＳＡ帯域解放パラメータは所定のパラメータである、項目１４に記載の製品。
［項目１６］
上記複数のＬＳＡ帯域解放パラメータは、既存の通信ネットワークとリアルタイムで、またはほぼリアルタイムで折衝される、項目１４に記載の製品。
［項目１７］
上記方法は、
ＵＥが、上記ＬＳＡ帯域を用いて、サービス品質（ＱｏＳ）閾値を超えるＱｏＳを用いる選択された複数の種類のデータを送るのを制限することをさらに含む、項目１２に記載の製品。
［項目１８］
上記方法は、
上記通信ネットワーク内の他のｅＮｏｄｅ  Ｂと協調して、上記ＬＳＡ帯域を用いる１つまたは複数のＵＥからのデータトラフィックを受信することをさらに含む、項目１２に記載の製品。
［項目１９］
上記方法は、
データを転送する複数のＵＥに提供されるサービス品質（ＱｏＳ）レベルを調整することをさらに含む、項目１２に記載の製品。
［項目２０］
上記方法は、
上記ＬＳＡ帯域解放スケジュールに基づいてＵＥに対する複数のリソースをスケジュールすることによって、上記ＵＥのサービス品質（ＱｏＳ））レベルを調整することをさらに含む、項目１２に記載の製品。
【図１】
0006418668.tif 000002
【図２】
0006418668.tif 000003
【図３】
0006418668.tif 000004
【図４】
0006418668.tif 000005
【図５】
0006418668.tif 000006
【図６】
0006418668.tif 000007
【図７】
0006418668.tif 000008